(57)【特許請求の範囲】
【請求項１】
通信制御情報を含む開始タグを用いて作成されたテキストファイルをサーバから受信する受信手段と、
上記テキストファイルの中から上記通信制御情報を検出し、上記通信制御情報を含む上記開始タグと対の終了タグとに挟まれた所定位置に存在する表示用回線番号を画面上に表示する表示手段と、
上記表示用回線番号が選択された場合、上記通信制御情報の利用範囲に関する発信条件に該当したときに上記通信制御情報に記述された回線番号に対する発信処理を行って通信リンクを確立し、上記発信条件に該当しなかったときには発信処理を行わない制御手段と
を具えることを特徴とする通信端末装置。
【請求項２】
上記利用範囲に関する発信条件は時刻である
ことを特徴とする請求項１に記載の通信端末装置。
【請求項３】
上記利用範囲に関する発信条件は曜日である
ことを特徴とする請求項１に記載の通信端末装置。
【請求項４】
上記制御手段は、上記通信制御情報に含まれる特定ワードに応じた通信機器との通信を行う
ことを特徴とする請求項１に記載の通信端末装置。
【請求項５】
通信制御情報を含む開始タグを用いて作成されたテキストファイルをサーバが送信する送信ステップと、
上記テキストファイルをクライアントが受信する受信ステップと、
上記テキストファイルの中から上記通信制御情報を検出し、上記通信制御情報を含む上記開始タグと対の終了タグとに挟まれた所定位置に存在する一対のタグ間に挟まれている表示用回線番号を画面上に表示する表示ステップと、
上記表示用回線番号が選択された場合、上記通信制御情報の利用範囲に関する発信条件に該当したときに上記通信制御情報に記述された回線番号に対する発信処理を行って通信リンクを確立し、上記発信条件に該当しなかったときには発信処理を行わない制御ステップと
を具えることを特徴とする通信制御方法。
【請求項６】
上記利用範囲に関する発信条件は時刻である
ことを特徴とする請求項５に記載の通信制御方法。
【請求項７】
上記利用範囲に関する発信条件は曜日である
ことを特徴とする請求項５に記載の通信制御方法。
【請求項８】
上記制御ステップは、上記通信制御情報に含まれる特定ワードに応じた通信機器との通信を行う
ことを特徴とする請求項５に記載の通信制御方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態
（１）全体構成（図１）
（２）クライアントコンピユータ装置の構成（図２）
（３）通信制御情報の登録内容（図３）
（４）通信機器に対する通信制御
（４−１）電話機及びＦＡＸ装置に対する通信制御（図４〜図６）
（４−２）インターネツト電話、インターネツトＦＡＸ、インターネツトボイスメールに対する通信制御（図７〜図９）
（４−３）通信制御時間及び優先順位に応じた通信制御（図１０〜図１４）
（５）動作及び効果
（６）他の実施の形態（図１６及び図１７）
発明の効果
【０００３】
【発明の属する技術分野】
本発明は通信端末装置及び通信制御方法に関し、例えばインターネツトにおいて構築されているＷＷＷ（World Wide Web）に適用して好適なものである。
【０００４】
【従来の技術】
近年、世界的なコンピユータネツトワークとしてインターネツトが発達しており、このインターネツトとは世界各国の企業や大学等に存在するコンピユータネツトワーク同士を広域回線を介して接続した世界規模のネツトワーク網である。ユーザはコンピユータ装置を介して種々のインターネツトサービスの提供を受けられるようになされており、例えばメツセージを特定の相手に伝える「電子メール」、離れたところにあるコンピユータ装置を利用する「リモート・コンピユータ・アクセス」、リソースの転送や情報提供を受ける「ＦＴＰ（ File Transfer Protocol ：フアイル転送）」、様々なテーマにおける情報提供／議論を行う「ネツトニユース」、ページとページとがリンクされたハイパーリンク構造のマルチメデイア情報を提供する「ＷＷＷ」等、種々様々なサービスが存在している。
【０００５】
特に、ＷＷＷではＨＴＴＰ（Hyper Text Transfer Protocol）と呼ばれる通信接続手順（以下、これをプロトコルと呼ぶ）に従つてデータの転送を行い、ＨＴＭＬ（HyperText Markup Language:ハイパーテキスト記述言語）フアイルによつて画面上にホームページ等を表示し、その画面上で情報の検索や表示を簡単に行えるようになされている。
【０００６】
このＷＷＷのユーザ側のアプリケーシヨン（ＷＷＷブラウザ）としては、例えばNetscape Navigator（Netscape社の商標）や、Mosaic（NCSAの商標）、Internet Explorer （Microsoft 社の商標）等があり、情報提供者側のアプリケーシヨン（ＷＷＷサーバ）としては、例えば Commerce Server（Netscape社の商標）等がある。ユーザはＷＷＷブラウザを用いてＷＷＷサーバにアクセスし、情報やサービスの提供を受けることができると共に、インフオーメーシヨンプロバイダ（情報提供者）はＷＷＷサーバを用いてＷＷＷブラウザに情報やサービスを提供している。
【０００７】
ユーザがＷＷＷブラウザを使つてハイパーリンクされた情報を得る場合、最初に接続するホームページの場所（ＵＲＬ（Uniform Resource Locator））を指定することにより、クライアントコンピユータ装置がそのＵＲＬを持つＷＷＷサーバに情報の転送要求をかける。ＷＷＷサーバは要求を受け付けると、指定されたホームページのＨＴＭＬフアイルをクライアントコンピユータ装置に転送する。
【０００８】
クライアントコンピユータ装置はＨＴＭＬフアイルを解析し、表示可能な部分をデイスプレイに表示すると共に、ＨＴＭＬフアイルの中に埋め込まれている他のデータ（例えば画像情報）があれば、さらに転送要求をかける。また、クライアントコンピユータ装置は表示したときにその情報に関連する情報が準備されている場合には表示の色を変えたり、アンダーラインを記すようになされており、ＨＴＭＬフアイル上ではその関連情報がある場所を示すＵＲＬが埋め込まれている。
【０００９】
ユーザがその色の変わつた部分（又はアンダーラインの記された部分）をクリツクすると、クライアントコンピユータ装置はその情報をもつＷＷＷサーバに転送要求をかけ、転送要求を受けたＷＷＷサーバは指定された新たなページのＨＴＭＬフアイルを転送する。このように、ユーザが次々とクリツクを繰り返すことによりリンクされたフアイル情報を次々に得られるようになされている。
【００１０】
ところで、ＨＴＭＬフアイルはテキストの構造を記述するためのものであり、テキスト内容そのものとタグ（属性情報）とを含んでいる。タグは「＜」と「＞」とに囲まれた部分で表され、例えばテキストの要素、構造、整形方法及びリンク先等を表すために使用される。実際上、テキストフアイルがＨＴＭＬフアイルによつて記述されたものであることを表すには＜ＨＴＭＬ＞タグが使用され、リンク先を表すために＜ A＞タグが使用されている。
【００１１】
また、ＷＷＷにおいてはＵＲＬによってインターネット上におかれているファイル（ホームページ）の指定が行われるが、その際に用いられるＵＲＬはスキーム（データ構造）名、ドメイン名（ホスト名）及びファイル名からなり、それぞれ転送プロトコル名、ＷＷＷサーバ、ファイル名の指定が行われる。例えば、ＵＲＬがｈｔｔｐ：／／ｗｗｗ．ａｂｃ．ｃｏ．ｊｐ／ａｂｃｄｒｉｖｅ／ｉｎｄｅｘ．ｈｔｍｌであるとき、スキーム名、ドメイン名、ファイル名はそれぞれhttp、ｗｗｗ．ａｂｃ．ｃｏ．ｊｐ、／ａｂｃｄｒｉｖｅ／ｉｎｄｅｘ．ｈｔｍｌである。
【００１２】
なお、実際のＷＷＷサーバへのアクセスはＩＰ（Internet Protocol ）アドレスによつて行われるが、ＩＰアドレスはドメイン名から認識される。すなわち、ドメイン名からＩＰアドレスを取得するサーバとしてＤＮＳ（Domain Name Server）があり、ＷＷＷブラウザはそこに問い合わせを行つてＩＰアドレスを認識する。
【００１３】
また、ホームページを構成するＨＴＭＬファイルにおいては＜ A＞タグによってリンク先が表されており、これによりユーザはあるホームページからそれに関連する他のホームページを容易に取得し得るようになされている。例えば、あるＨＴＭＬファイルにおいて、「＜Ａ ＨＲＥＦ＝”ｈｔｔｐ：／／ｗｗｗ．ａｂｃ．ｃｏ．ｊｐ／”＞Go back to Main Menu＜/A＞」と記述されている場合、ＷＷＷブラウザでは「Go back to Main Menu」と画面に表示される。
【００１４】
ここで、このＨＴＭＬファイルにおいて＜Ａ＞タグの中のＨＲＥＦ＝”ｈｔｔｐ：／／ｗｗｗ．ａｂｃ．ｃｏ．ｊｐ／”は、リンク先のＵＲＬがｈｔｔｐ：／／ｗｗｗ．ａｂｃ．ｃｏ．ｊｐ／であることを表している。また、ＨＴＭＬファイルにおいて＜／Ａ＞タグは、＜Ａ＞タグの終了タグであり、＜Ａ＞タグと＜／Ａ＞タグとの間にあるテキスト（ここでは、Go back to Main Menu）は、そこにリンクが張られていることを示すためにハイライト（最も明るく）で表示されたり、アンダーラインを付して表示される。
【００１５】
ＷＷＷブラウザにおいて画面に表示された「Go back to Main Menu」の表示部分がユーザによってクリックされると、クライアントコンピユータ装置は＜ A＞タグの中に記述されているリンク先すなわち ｈｔｔｐ：／／ｗｗｗ．ａｂｃ．ｃｏ．ｊｐ／というＵＲＬで表されるＨＴＭＬファイルをＷＷＷサーバに要求する。ＷＷＷサーバではこのＵＲＬの中のドメイン名が割り当てられたＨＴＭＬファイルを検索し、当該ＨＴＭＬファイルをＷＷＷブラウザに送信する。ＷＷＷブラウザはＷＷＷサーバから送信されてくるＨＴＭＬファイルを受信し、その内容を解析して画面に表示する。
【００１６】
このようにして表示されたホームページの中の所定の部分に＜ A＞タグを用いてリンク先が対応付けられている（ハイパーリンク構造）場合には、上述した場合と同様に所定の表示部分をクリツクすることにより対応するホームページを順次得ることができる。
【００１７】
ところでクライアントコンピユータ装置の画面に表示されたホームページを見た後に、ホームページの製作者宛に何らかの意見や感想等を電子メールとして送信しようとする場合、ユーザはこのホームページの下部に設置されているアンカ（他のテキストへの入口）をクリツクすると電子メールソフトが起動して自動的に送信用のメール入力画面が表示され、製作者宛にメツセージを入力して容易に送信し得るようになされている。
【００１８】
【発明が解決しようとする課題】
ところで、企業等の情報提供者が表示するホームページ上には単に概要だけを紹介している場合が多く、さらに詳しい内容を知りたいユーザに対して電話番号やフアツクス番号を表示してユーザからの問い合わせを受け付けるような形態をとつている場合がある。ところが、現状ではホームページの製作者がＨＴＭＬフアイルにおいてリンク先をＵＲＬによつて記述する場合、httpやftp 等の転送プロトコルでしか記述指定できないために、特定のプロトコルによつて通信可能な電話機、フアツクス（以下、ＦＡＸと呼ぶ）装置等の通信機器をリンク先として記述することはできなかつた。
【００１９】
このため、ホームページを開いたユーザはホームページの画面上に表示された問い合わせ先の電話番号やＦＡＸ番号を確認した上で、新たに電話を発呼したり、ＦＡＸ情報を送信するといつた面倒な手順を踏まなければならないだけでなく、回線番号を間違えることもあつて操作性が良くなかつた。
【００２０】
またユーザが相手の電話に発呼した場合、相手先の営業時間範囲を過ぎてしまつていると電話の呼び出し音が何度鳴つても誰も応答しないという不愉快な結果になりかねないという問題もあつた。
【００２１】
またクライアントコンピユータ装置においては、ホームページの製作者宛にメツセージを送信するためにはホームページの下部に設置されているアンカをクリツクする必要があり、その際画面をスクロールさせながらアンカの表示された場所を探さなければならず手間がかかるという問題があつた。
【００２２】
本発明は以上の点を考慮してなされたもので、操作性良く通信機器を制御し得る通信端末装置及び通信制御方法を提案しようとするものである。
【００２３】
【課題を解決するための手段】
かかる課題を解決するため本発明の通信端末装置においては、通信制御情報を含む開始タグを用いて作成されたテキストファイルをサーバから受信する受信手段と、テキストファイルの中から通信制御情報を検出し、通信制御情報を含む開始タグと対の終了タグとに挟まれた所定位置に存在する表示用回線番号を画面上に表示する表示手段と、表示用回線番号が選択された場合、通信制御情報の利用範囲に関する発信条件に該当したときに通信制御情報に記述された回線番号に対する発信処理を行って通信リンクを確立し、発信条件に該当しなかったときには発信処理を行わない制御手段とを設けるようにする。
【００２４】
このように、サーバから受信したテキストファイルの中から開始タグに含まれた通信制御情報を検出した場合、その通信制御情報を含む開始タグと対の終了タグとに挟まれた所定位置に存在する表示用回線番号を表示し、その表示用回線番号が選択された場合でも、利用範囲に関する発信条件に該当したときに限って通信制御情報に記述された回線番号に対する発信処理を行って通信リンクを確立するようにしたことにより、利用範囲外で表示用回線番号が選択された場合には最初から発信処理を行わないために、ユーザにとって無意味な発信処理を行わせずに済む。
【００２５】
また本発明の通信制御方法においては、通信制御情報を含む開始タグを用いて作成されたテキストファイルをサーバが送信する送信ステップと、テキストファイルをクライアントが受信する受信ステップと、テキストファイルの中から通信制御情報を検出し、通信制御情報を含む開始タグと対の終了タグとに挟まれた所定位置に存在する一対のタグ間に挟まれている表示用回線番号を画面上に表示する表示ステップと、表示用回線番号が選択された場合、通信制御情報の利用範囲に関する発信条件に該当したときに通信制御情報に記述された回線番号に対する発信処理を行って通信リンクを確立し、上記発信条件に該当しなかったときには発信処理を行わない制御ステップとを設けるようにした。
【００２６】
このように、サーバから受信したテキストファイルの中から開始タグに含まれた通信制御情報を検出した場合、その通信制御情報を含む開始タグと対の終了タグとに挟まれた所定位置に存在する一対のタグ間に挟まれている表示用回線番号を表示し、その表示用回線番号が選択された場合でも、利用範囲に関する発信条件に該当したときに限って通信制御情報に記述された回線番号に対する発信処理を行って通信リンクを確立するようにしたことにより、利用範囲外で表示用回線番号が選択された場合には最初から発信処理を行わないために、ユーザにとって無意味な発信処理を行わせずに済む。
【００２７】
【発明の実施の形態】
以下図面について、本発明の一実施の形態を詳述する。
【００２８】
（１）全体構成
図１に示すように、１は全体としてネツトワークシステムを示し、ユーザはクライアントコンピユータ装置２を有し、ＩＳＤＮ（Integrated Services Digital Network ）回線３によつて接続された公衆回線網４を介してサービスプロバイダ（接続業者）が有するＩＳＰ(Internet Service Provider) サーバ５に接続されている。
【００２９】
またクライアントコンピユータ装置２は、公衆回線網４の複数の交換機（ＴＳ）を介して電話機６、ＦＡＸ装置７、及びページヤ８に接続されている。
【００３０】
ＩＳＰサーバ５はインターネツト１０に接続されており、当該インターネツト１０にはインフオーメーシヨンプロバイダ（情報提供者）が有するＷＷＷサーバとしてのＩＰ(Information Provider)サーバ１１が接続されている。またインターネツト１０は他のＩＳＰサーバ１２、公衆回線網１３を介して他のコンピユータ装置１４に接続され、クライアントコンピユータ装置２とコンピユータ装置１４との間でインターネツト１０を経由したインターネツト電話やインターネツトＦＡＸによる通信リンクを確立し得るようになされている。
【００３１】
さらに、コンピユータ装置１４には音声によるメツセージを保持及び提供するボイスメール装置１５が接続されており、クライアントコンピユータ装置２との間でインターネツト１０を経由したインターネツトボイスメールによる通信リンクも確立し得るようになされている。なおインターネツト１０においては、ＴＣＰ／ＩＰ(Transmission Control Protocol/Internet Protocol) と呼ばれるプロトコルに従つてコンピユータ相互間で通信が行われている。
【００３２】
このようにインターネツト１０上にＷＷＷが構築されることにより、各ユーザはクライアントコンピユータ装置２のアプリケーシヨンとしてのＷＷＷブラウザを用いてＩＰサーバ１１にアクセスし、ホームページ等の各種情報やサービスの提供を受けることができる。また各インフオーメーシヨンプロバイダは、ＷＷＷサーバであるＩＰサーバ１１を用いてＷＷＷブラウザ（クライアントコンピユータ装置２）にホームページ等の各種情報やサービスを提供するようになされている。
【００３３】
因みにクライアントコンピユータ装置２は、インターネツト１０に直接接続することも可能であるが、通常はサービスプロバイダと契約し、公衆回線網４を介してＩＳＰサーバ５にアクセスすることによりインターネツト１０に接続するようになされている。
【００３４】
このようなネツトワークシステム１においては、ユーザがクライアントコンピユータ装置２を操作することにより公衆回線網４を介してＩＳＰサーバ５にアクセスすることができ、かくしてクライアントコンピユータ装置２とＩＳＰサーバ５との間に通信リンクが確立される。
【００３５】
このように通信リンクが確立された状態で、ユーザが所望のホームページのアドレス（ＵＲＬ）をクライアントコンピユータ装置２から入力してＩＰサーバ１１に要求すると、ＩＰサーバ１１が指定されたアドレスのホームページをインターネツト１０を介してＩＳＰサーバ５に送信する。
【００３６】
ＩＳＰサーバ５は、ＩＰサーバ１１から送信されたホームページを受信すると、それを公衆回線網４を介してクライアントコンピユータ装置２に転送する。これによりクライアントコンピユータ装置２では、所望のホームページをＨＴＭＬフアイルのテキストデータ形式で受信すると、ＨＴＭＬフアイルを解析することにより画面上にホームページを表示する。
【００３７】
ここで、ＩＰサーバ１１に格納されているＨＴＭＬフアイルにはリンク先の情報（フアイル）のＵＲＬが記述されている他、電話機６、ＦＡＸ装置７、ページヤ８及び他のコンピユータ装置１４をリンク先として拡張できるように、これらの通信機器の回線番号が後述する特定ワードと共に＜Ａ＞タグによつて記述されている。
【００３８】
即ち本発明のネツトワークシステム１においては、所定の文字列や画像に対応付けて回線番号をリンク先として記述できるように、ＨＴＭＬフアイルのタグが拡張されており、通信機器をリンク先として特定するための特定ワードが新たに定義されている。
【００３９】
この特定ワードに関しては、少なくとも送信側であるＩＰサーバ１１と受信側であるクライアントコンピユータ装置２との間で定義されていることが条件であり、ＩＰサーバ１１に格納されているホームページは既にそのような特定ワードによつて形成されている。
【００４０】
この場合クライアントコンピユータ装置２は、電話機６、ＦＡＸ装置７、ページヤ８及びｈｔｔｐ以外の通信プロトコルによつてしか通信を行うことができない他のコンピユータ装置１４と通信を行うために、それぞれに対応した通信手順を用いる必要がある。
【００４１】
ここで、＜Ａ＞タグとともに記述されるＵＲＬに転送プロトコルが含められるのと同様に、特定ワードと共に記述される回線番号に電話機６、ＦＡＸ装置７、ページヤ８及びコンピユータ装置１４との通信をそれぞれ行うための通信手順を表す付加情報が含められている。これによりクライアントコンピユータ装置２は、回線番号及び付加された通信手順に基づいてこれらの通信機器との通信リンクを確立することが可能となる。
【００４２】
従つて、クライアントコンピユータ装置２においても、予めユーザによつて送信側であるＩＰサーバ１１で登録されたものと同一の特定ワードを登録しておくことにより、ＨＴＭＬフアイルの中から特定ワードを検出することができ、当該特定ワードを検出した場合にその特定ワードに対応した通信機器の回線番号を検出し、通信リンクを所定の通信手順に従つて確立する。
【００４３】
これによりクライアントコンピユータ装置２は、電子メールソフトを起動させてホームページの製作者に対して電子メールを送信できるだけでなく、ユーザがホームページ上の所定の表示部分（例えば特定ワードに対応した通信機器及びその回線番号の表示部分）をクリツクするだけで電話機６、ＦＡＸ装置７、ページヤ８及びコンピユータ装置１４を容易に通信制御し得るようになされている。
【００４４】
実際上クライアントコンピユータ装置２は、新たに定義された特定ワードによつて拡張されたＨＴＭＬフアイルを解析することによりホームページを画面上に表示し、特定ワードに対応した通信機器及びその回線番号の表示部分がユーザによつてクリツクされると、その回線番号を発信処理し、所定の通信手順に従つて通信機器との通信リンクを確立する。かくしてユーザは、クライアントコンピユータ装置２を介して電話機６、ＦＡＸ装置７、ページヤ８及びコンピユータ装置１４と情報のやりとりを行うことが可能となる。
【００４５】
これによりユーザは、クライアントコンピユータ装置２の画面上において通信機器及びその回線番号の表示部分をクリツクするだけで電話機６に発呼したり、あるいはインターネツト１０を経由してインターネツト電話をかけることができる。この場合ユーザは、クライアントコンピユータ装置２のマイク２Ｍとスピーカ２Ｓを用いて相手の電話機６と通話を行つたり、コンピユータ装置１４のマイク１４Ｍ及びスピーカ１４Ｓを介して相手との通話を行う。
【００４６】
またユーザは、クライアントコンピユータ装置２の画面上において通信機器及びその回線番号の表示部分をクリツクするだけでＦＡＸ装置７にＦＡＸ情報を送信したり、あるいはインターネツト１０を経由してインターネツトＦＡＸによるＦＡＸ情報の送信を行うことができる。この場合ユーザは、クライアントコンピユータ装置２のキーボード２Ｋを用いてＦＡＸ情報の入力及び送信を行う。
【００４７】
同様に、ユーザはクライアントコンピユータ装置２の画面上において通信機器及びその回線番号の表示部分をクリツクするだけでページヤ８に対してメツセージを送信したり、他のコンピユータ装置１４に接続されたボイスメール装置１５に音声によるメツセージを送信することができる。この場合も、ユーザはクライアントコンピユータ装置２のキーボード２Ｋを用いてメツセージの入力及び送信を行い、マイク２Ｍを用いてボイスメールの送信を行う。
【００４８】
（２）クライアントコンピユータ装置の構成
図２に示すように、本発明の通信端末装置としてのクライアントコンピユータ装置２は、ＩＳＤＮインターフエース部２６から公衆回線網４を介して電話機６やＦＡＸ装置７及びページヤ８（図１）と回線接続し得ると共に、ＩＳＤＮインターフエース部２６から公衆回線網４、ＩＳＰサーバ５及びインターネツト１０を経由して他のコンピユータ装置１４（図１）とのインターネツト電話やインターネツトＦＡＸ及びインターネツトボイスメールによる通信リンクを確立し得るようになされている。
【００４９】
制御部２１は端末全体を制御するようになされており、インターネツト１０を経由して送信されてきたデータに対するプロトコル処理や、インターネツト１０を経由して送信するデータを生成する処理等の必要なデータ処理を実行する。
【００５０】
音声処理部２３は、インターネツト経由における電話通信の場合に音声データをパケツト単位で圧縮して伝送するため、送信する音声データを圧縮したり、また受信した音声データを伸長する処理を行う。
【００５１】
キーボード部２Ｋは、ダイヤルキーやその他のキースイツチを備えており、ＦＡＸ情報をタイプ入力したり、ページヤに送信するメツセージを作成する他、所定のキースイツチを操作することによる発信処理や、それに対応した制御を制御部２１によつて端末に実行させるようになされている。
【００５２】
表示部２５は、ＨＴＭＬフアイルに基づいたホームページを画面上に表示し、当該ホームページ上にユーザが選択する通信制御対象として通信機器及びその回線番号を表示する。
【００５３】
ＩＳＤＮインターフエース部２６は、ＩＳＤＮ回線３に接続されており、一般的には２Ｂ＋Ｄチヤンネル（２つのＢチヤンネル（情報用）と１つのＤチヤンネル（制御信号用））が時分割多重化されて合計３チヤンネルの通信を可能にしている。すなわち、このクライアントコンピユータ装置２はユーザがホームページを開いたままの状態で電話機６やＦＡＸ装置７等と回線接続することが可能である。
【００５４】
ハンドセツト部２７は、スイツチ回路２８から得たデイジタル音声データをデイジタル／アナログ変換処理した後、アナログ音声信号に変換してスピーカ２Ｓに出力し、またマイクロフオン２Ｍから入力された音声信号をアナログ／デイジタル変換した後にスイツチ回路２８に出力する。
【００５５】
スイツチ回路２８は、制御部２１によつて切り換え制御され、通常のＩＳＤＮ電話の場合には端子ａ側に、インターネツト経由のインターネツト電話の場合には端子ｂ側にそれぞれ切り換える。なおリンガー発生部２９はユーザに着信したことを知らせるためのリンガー音を発生する。
【００５６】
クライアントコンピユータ装置２は、ＩＳＤＮインターフエース部２６を介して受信したＨＴＭＬフアイルを制御部２１によつて解析することにより、表示部２５の画面上にホームページを表示する。
【００５７】
また、このクライアントコンピユータ装置２が一般のＩＳＤＮ電話として動作する場合、スイツチ回路２８を端子ａ側に切り換え、ＩＳＤＮインターフエース部２６を介して受信したデイジタル音声データをスイツチ回路２８を通じてハンドセツト部２７に供給する。ハンドセツト部２７はデイジタル音声データをデイジタル／アナログ変換処理することによりアナログ音声信号に変換し、スピーカ２Ｓを介して受話音声として出力する。
【００５８】
またクライアントコンピュータ装置２は、マイクロフォン２Ｍから入力した送話音声信号をハンドセット部２７によりアナログ／ディジタル変換処理してディジタル音声データに変換し、スイッチ回路２８及びＩＳＤＮインターフェース部２６を通じてＩＳＤＮ回線３から相手の電話機６に伝送する。
【００５９】
次にこのクライアントコンピユータ装置２がインターネツト電話として動作する場合、スイツチ回路２８を端子ｂ側に切り換え、インターネツト１０を経由してＩＳＤＮ回線３からＩＳＤＮインターフエース部２６を介して受信した音声データを制御部２１によつてプロトコル処理し、音声処理部２３に送出する。音声処理部２３は、音声データを伸長し、スイツチ回路２８を通じてハンドセツト部２７に供給する。ハンドセツト部２７は伸長した音声データをデイジタル／アナログ変換処理してスピーカ２Ｓを介して受話音声として出力する。
【００６０】
またクライアントコンピユータ装置２は、マイクロフオン２Ｍから入力した送和音声信号をハンドセツト部２７によりアナログ／デイジタル変換処理してデイジタル音声データに変換し、スイツチ回路２８を通じて音声処理部２３に供給する。音声処理部２３では、デイジタル音声データを圧縮して制御部２１に供給する。制御部２１は、圧縮されたデイジタル音声データをインターネツトによる電話アプリケーシヨンプロトコルに従つて送信すべきデータ列に変換し、ＩＳＤＮインターフエース部２６を通じてＩＳＤＮ回線３から伝送する。
【００６１】
さらにクライアントコンピユータ装置２においては、ＦＡＸ装置７及びページヤ８にメツセージを送信する場合、スイツチ回路２８を端子ａ側に切り換え、キーボード部２Ｋからキー入力したメツセージデータをハンドセツト部２７によりデイジタルデータに変換し、スイツチ回路２８及びＩＳＤＮインターフエース部２６を通じてＩＳＤＮ回線３から伝送する。
【００６２】
さらにクライアントコンピユータ装置２は、他のコンピユータ装置１４に接続されたボイスメール装置１５にインターネツトボイスメールを送信する場合、スイツチ回路２８を端子ｂ側に切り換え、マイクロフオン２Ｍから入力した音声データを音声処理部２３によつて圧縮し、制御部２１によつて圧縮されたデイジタル音声データを所定のプロトコルに従つて送信すべきデータ列に変換し、ＩＳＤＮインターフエース部２６を通じてＩＳＤＮ回線３から伝送する。
【００６３】
さらにクライアントコンピユータ装置２は、インターネツト経由のインターネツトＦＡＸとして動作する場合も、キーボード部２Ｋからキー入力した送信データを制御部２１に供給する。制御部２１は、送信データをＦＡＸフオーマツトに変換すると共にインターネツトによる通信アプリケーシヨンプロトコルに従つて送信すべきデータ列に変換し、ＩＳＤＮインターフエース部２６を通じてＩＳＤＮ回線３から伝送する。
【００６４】
かかる構成に加えてクライアントコンピユータ装置２は、制御部２１において内部に設けられたメモリ２１Ａに、通信機器を特定するための特定ワード、当該特定ワードに付随する付随情報やユーザに容易に認識させるためのユーザ通知情報、通信機器を制御し得る利用曜日範囲及び利用時刻範囲を指定するための発信制御情報及び当該発信制御情報の如何に係わらず優先的に処理する優先処理情報からなる通信制御情報を予めユーザのキー入力によつて登録しておくようになされている。
【００６５】
これによりクライアントコンピユータ装置２は、ＩＰサーバ１１から送られてきたＨＴＭＬフアイルを制御部２１により解析したときに、予めメモリ２１Ａに登録された通信制御情報がＨＴＭＬフアイルの中に存在することを検出すると、制御部２１はユーザ通知情報に従つて指定された表示方法（赤色で表示したり、あるいは太字で表示する）で特定ワードに応じた通信機器及びその回線番号を表示し、ユーザにクリツクすべき箇所を容易に認識させるようになされている。かくしてクライアントコンピユータ装置２は、ユーザによつて通信機器及びその回線番号の表示部分がクリツクされると選択された通信機器との通信リンクを確立する。
【００６６】
（３）通信制御情報の登録内容
次に、クライアントコンピユータ装置２において制御部２１のメモリ２１Ａに特定ワード、付随情報、ユーザ通知情報、発信制御情報及び優先処理情報からなる通信制御情報を登録する登録内容について説明する。
【００６７】
まずユーザは、クライアントコンピユータ装置２において制御部２１のメモリ２１Ａに通信制御対象となる通信機器にそれぞれ対応した特定ワード、付随情報、ユーザ通知情報、発信制御情報及び優先処理情報を予めキー入力して登録する。
【００６８】
例えば図３に示すメモリ格納例のように、電話機６を通信制御するための特定ワードとして、「telephoneto:、PHONE:、Tel:、又はTelephone:」を登録し、「：」を省略した場合や、特定ワード後のスペース、大文字又は小文字の区別に関しては一切関係無く判断することを付随情報として付加登録する。
【００６９】
またユーザに通知するべきユーザ通知情報としては、文字を赤色、フオントをボールド（太字）、専用アイコンとメニユー画面を追加することが登録されている。また発信制御情報としては「from、to」及び「through 、to」が登録されていることにより、「through 、to」で記述された利用曜日範囲内でかつ「from、to」で記述された利用時刻範囲内にクリツク操作されたときに発信処理を行い、利用曜日範囲外にクリツク操作された場合や利用時刻範囲外にクリツク操作された場合には発信処理を行わずに指定された利用曜日範囲及び利用時刻範囲内にクリツク操作させるための表示をユーザに対して行う。
【００７０】
さらに優先処理情報として「others」が登録されており、これは上述の「from、to」及び「through 、to」の範囲外の場合、例えば祭日や国民の休日には「others」以下に記述された通信制御対象によつて発信処理するようになされている。
【００７１】
因みに通信制御対象としてＦＡＸ装置７やページヤ８、あるいはインターネツト電話やインターネツトＦＡＸ及びインターネツトボイスメールの場合も同様の特定ワード、付随情報、ユーザ通知情報、発信制御情報及び優先処理情報が通信制御情報として登録されている。
【００７２】
（４）通信機器に対する通信制御
（４−１）電話機及びＦＡＸ装置に対する通信制御
図４に示すように、ＩＰサーバ１１から送信されてくるＨＴＭＬフアイルのソース表示では、＜ＨＴＭＬ＞の開始タグと＜／ＨＴＭＬ＞の終了タグとによつてＷＷＷフオーマツトフアイルであることが定義され、フアイル全体の内容がこのタグの中に記述されている。
【００７３】
またＨＴＭＬフアイルのソース表示においては、＜ＨＥＡＤ＞の開始タグと＜／ＨＥＡＤ＞の終了タグとによりＨＴＭＬフアイルのページヘツダ（ページフオーマツト情報）が記述されており、この場合＜ＴＩＴＬＥ＞の開始タグと＜／ＴＩＴＬＥ＞の終了タグとの間にページタイトル「Ｃｏｎｔａｃｔ」がページヘツダとして記述されている。
【００７４】
＜ＢＯＤＹ＞の開始タグと＜／ＢＯＤＹ＞の終了タグとの間には、ホームページとしてユーザが見ることのできる本体部分の表示を記述するようになされており、具体的には「ａｂｃ太郎です。連絡先」という記述がなされ、さらに＜ＵＬ＞の開始タグと＜／ＵＬ＞の終了タグとの間に＜Ａ ＨＲＥＦ＝”telephoneto:00-1234-5678”＞＜Ｂ＞Tel:00-1234-5678＜／Ｂ＞＜／Ａ＞＜ＢＲ＞と、＜ＡＨＲＥＦ＝”faxto:00-1234-1234”＞＜Ｂ＞FAX:00-1234-1234＜／Ｂ＞＜／Ａ＞＜ＢＲ＞とが記述されている。
【００７５】
ここで、＜Ａ  ＨＲＥＦ＝”telephoneto:00-1234-5678”＞＜Ｂ＞Tel:00-1234-5678＜／Ｂ＞＜／Ａ＞＜ＢＲ＞と、＜Ａ  ＨＲＥＦ＝”faxto:00-1234-1234”＞＜Ｂ＞FAX:00-1234-1234＜／Ｂ＞＜／Ａ＞＜ＢＲ＞とがタグの拡張された部分であり、電話番号00-1234-5678の電話機とＦＡＸ番号00-1234-1234のＦＡＸ装置７へリンクするようになされている。因みに＜Ｂ＞、＜／Ｂ＞のタグは太文字体で表示することを表している。
【００７６】
クライアントコンピユータ装置２は、上述のＨＴＭＬフアイルを解析して図５に示すようなホームページを画面上に表示する。その際クライアントコンピユータ装置２は、予めメモリ２１Ａに登録されたユーザ通知情報に従つて通信機器及びその電話番号（Tel:00-1234-5678及びFax:00-1234-1234）の文字を赤色及び太字で表示することにより、ユーザに対してこの部分をクリツクすれば通信制御し得ることを容易に認識させている。
【００７７】
かくしてクライアントコンピユータ装置２は、赤色及び太字で表示された通信機器及びその電話番号の表示部分（Tel:00-1234-5678）がユーザによつてクリツクされると、制御部２１により電話機６に電話発信処理を行つて通信リンクを確立する。
【００７８】
因みに、このとき赤色及び太字で表示された通信機器及びその電話番号の表示部分（Fax:00-1234-1234）がユーザによつてクリツクされると、制御部２１によりＦＡＸ情報をキー入力するための画面が開かれ、キー入力された後にＦＡＸ装置７に発信処理を行う。
【００７９】
なお、ここでは触れなかつたがページヤ８を通信制御する場合もＦＡＸ装置７の場合とほぼ同様であり、タグの拡張される部分は＜Ａ  ＨＲＥＦ＝”Pagerto:03-123-4567 ”＞＜Ｂ＞Pager:03-123-4567 ＜／Ｂ＞＜／Ａ＞＜ＢＲ＞となり、通信機器及びその電話番号の表示部分（Pager:00-123-4567 ）がユーザによつてクリツクされると、メツセージをキー入力するための画面が開かれ、キー入力された後にページヤ８に対して発信処理を行う。
【００８０】
続いて、このようなクリツク操作によつて電話機６又はＦＡＸ装置７に対して発信処理を行う処理手順を図６に示すフローチヤートに従つて説明する。まずクライアントコンピユータ装置２はＲＴ１の開始ステツプから入つてステツプＳＰ１に移る。
【００８１】
ステツプＳＰ１において、クライアントコンピユータ装置２の制御部２１はＩＰサーバ１１から送信されたきたＨＴＭＬフアイルを解析してステツプＳＰ２に移る。ステツプＳＰ２において、制御部２１は解析したＨＴＭＬフアイルの中に予めメモリ２１Ａに登録された通信制御情報が存在するか否かを検出する。
【００８２】
ここで否定結果が得られると、これはＨＴＭＬフアイルの中に通信制御情報が存在していないことを表しており、このとき制御部２１はステツプＳＰ３に移る。ステツプＳＰ３おいて、制御部２１はＨＴＭＬフアイルの中に通信制御情報が存在していない、すなわちこれはクリツク操作によつて通信機器を制御できないことを意味しており、このとき制御部２１は単にホームページを画面上に表示し、ステツプＳＰ１５に移つて処理を終了する。
【００８３】
これに対してステツプＳＰ２において肯定結果が得られると、これはＨＴＭＬフアイルの中に通信制御情報が存在していることを表しており、このとき制御部２１はステツプＳＰ４に移る。ステツプＳＰ４において、制御部２１は検出した通信制御情報に基づいて通信機器及びその電話番号をユーザ通知情報に従つた方法（赤色及び太字）でホームページに表示してステツプＳＰ５に移る。
【００８４】
ステツプＳＰ５において、制御部２１はホームページ上に赤色及び太字で表示された通信機器及びその電話番号の表示部分がユーザによつてクリツクされたか否かを判定する。ここで否定結果が得られると、これは通信機器及びその電話番号の表示部分がユーザによつてクリツクされていないことを表しており、このとき制御部２１はユーザからの電話あるいはＦＡＸによる発信要求がないものと判断してステツプＳＰ１５に移つて処理を終了する。
【００８５】
これに対してステツプＳＰ５において肯定結果が得られると、これは通信機器及びその電話番号の表示部分がユーザによつてクリツクされたことを表しており、このとき制御部２１はステツプＳＰ６に移る。
【００８６】
ステツプＳＰ６において、制御部２１はユーザによつてクリツクされた通信制御対象がＦＡＸであるか否かを判定する。ここで否定結果が得られると、これはユーザによつてクリツクされた通信制御対象がＦＡＸではなく電話であることを表しており、このとき制御部２１はステツプＳＰ８に移る。
【００８７】
ステツプＳＰ８において、制御部２１は電話発信する際にユーザの存在している国の国番号と相手の電話番号の国番号とが一致しているか否かを判定する。ここで肯定結果が得られると、これは国番号が一致していることを表しており、このとき制御部２１はステツプＳＰ９に移つて電話発信時に国番号を削除することを認識してステツプＳＰ１０に移る。
【００８８】
これに対してステツプＳＰ８において否定結果が得られると、これは国番号が一致していないことを表しており、このとき制御部２１は電話発信時に国番号を最初に発信することを認識してステツプＳＰ１０に移る。
【００８９】
ステツプＳＰ１０において、制御部２１はユーザが存在している地域と相手の電話番号の地域が市外番号において一致しているか否かを判定する。ここで肯定結果が得られると、これは市外番号が一致していることを表しており、このとき制御部２１はステツプＳＰ１１に移つて市外番号を削除することを認識してステツプＳＰ１２に移る。
【００９０】
これに対してステツプＳＰ１０において否定結果が得られると、これは市外番号が一致していないことを表しており、このとき制御部２１は電話発信する際に市外番号を発信することを認識してステツプＳＰ１２に移る。
【００９１】
ステツプＳＰ１２において、制御部２１はクライアントコンピユータ装置２にオンフツク機能が有るか否かを判定する。ここで否定結果が得られると、これはクライアントコンピユータ装置２にオンフツク機能が存在しないことを表しており、このとき制御部２１はステツプＳＰ１４に移る。
【００９２】
これに対してステツプＳＰ１２において肯定結果が得られると、これはクライアントコンピユータ装置２にオンフツク機能が存在していることを表しており、このとき制御部２１はステツプＳＰ１３に移つてオンフツク制御による電話発信準備を行つてステツプＳＰ１４に移る。
【００９３】
ステツプＳＰ１４において、制御部２１はクリツクされた電話番号に対する発信処理を行つて電話機６との通信リンクを確立し、ステツプＳＰ１５に移つて処理を終了する。
【００９４】
ところでステツプＳＰ６において肯定結果が得られると、これはユーザによつてクリツクされた通信制御対象がＦＡＸであることを表しており、このとき制御部２１はステツプＳＰ７に移る。
【００９５】
ステツプＳＰ７において制御部２１はＦＡＸ装置７との通信リンクを確立するための通信手順を読み出すためにメモリ２１ＡからＦＡＸアプリケーシヨンソフトを起動して読出し、ユーザによつてＦＡＸ情報がキーボード部２Ｋによつて入力された後に送信処理を実行してステツプＳＰ８に移る。
【００９６】
この後は電話発信する場合の操作手順ステツプＳＰ８〜ステツプＳＰ１４に従つて同様のＦＡＸ発信処理を行い、ステツプＳＰ１５において処理を終了する。
【００９７】
（４−２）インターネツト電話、インターネツトＦＡＸ、インターネツトボイスメールに対する通信制御
この場合、通信制御対象が電話機６及びＦＡＸ装置７からインターネツト１０を経由して回線接続されたコンピユータ装置１４によるインターネツト電話、インターネツトＦＡＸ又はインターネツトボイスメールに変更しただけのことである。
【００９８】
この場合、図７に示すようにＨＴＭＬファイルのソース表示としてはタグの拡張部分が＜Ａ ＨＲＥＦ＝”internettelephoneto:01.23.45.67”＞＜Ｂ＞インターネット電話：(01.23.45.67)＜／Ｂ＞＜／Ａ＞＜ＢＲ＞と＜Ａ ＨＲＥＦ＝”internetfaxto:01.23.45.67"＞＜Ｂ＞インターネットＦＡＸ：(01.23.45.67)＜／Ｂ＞＜／Ａ＞＜ＢＲ＞と＜Ａ ＨＲＥＦ＝”ｉｎｔｅｒｎｅｔｖｏｉｃｅｍａｉｌｅｔｏ：ｔａｒｏ＠ａｂｃ．ｃｏ．ｊｐ”＞＜Ｂ＞インターネットボイスメール：ｔａｒｏ＠ａｂｃ．ｃｏ．ｊｐ＜／Ｂ＞＜／Ａ＞＜ＢＲ＞となる。因に、インターネット電話及びＦＡＸのアドレスはＩＰアドレスであり、インターネットボイスメールのアドレスはドメイン名で記述されている。
【００９９】
この場合もクライアントコンピユータ装置２は、制御部２１のメモリ２１Ａに予めインターネツト電話、インターネツトＦＡＸ又はインターネツトボイスメールに通信制御するための通信制御情報がそれぞれ登録（図３）されていることにより、インターネツト電話、インターネツトＦＡＸ又はインターネツトボイスメールによる通信リンクを確立する相手のコンピユータ装置１４のアドレスがホームページ上に所定の方式（赤色及び太字）でそれぞれ表示され、当該アドレスの表示部分がユーザによつてクリツクされるとインターネツト電話、インターネツトＦＡＸ又はインターネツトボイスメールによる相手コンピユータ装置１４との通信リンクを確立するようになされている。
【０１００】
実際上、クライアントコンピユータ装置２は、ＨＴＭＬファイルを解析して図８に示すようなホームページを画面上に表示する。その際クライアントコンピユータ装置２は、予めメモリ２１Ａに登録されたユーザ通知情報に従って通信制御対象及びそのアドレス（インターネット電話：01.23.45.67、インターネットＦＡＸ：01.23.45.67、インターネットボイスメール：ｔａｒｏ＠ａｂｃ．ｃｏ．ｊｐ）の文字を赤色及び太字で表示することにより、ユーザに対して認識し易くしている。
【０１０１】
かくしてクライアントコンピユータ装置２は、赤色及び太字で表示された３種類の通信制御対象及びそのアドレスの表示部分のいずれかがユーザによつてクリツクされると、制御部２１により自動的に発信処理を行つて相手のコンピユータ１４との通信リンクを確立する。
【０１０２】
続いて、インターネツト電話、インターネツトＦＡＸ、インターネツトボイスメールによる通信リンクを確立する処理手順を図９に示すフローチヤートに従つて説明する。まずクライアントコンピユータ装置２はＲＴ２の開始ステツプから入つてステツプＳＰ２１に移る。
【０１０３】
ステツプＳＰ２１において、クライアントコンピユータ装置２の制御部２１はＩＰサーバ１１から送信されたきたＨＴＭＬフアイルを解析してステツプＳＰ２２に移る。ステツプＳＰ２２において、制御部２１は解析したＨＴＭＬフアイルの中に予めメモリ２１Ａに登録された通信制御情報が存在するか否かを検出する。
【０１０４】
ここで否定結果が得られると、これはＨＴＭＬフアイルの中に通信制御情報が存在していないことを表しており、このとき制御部２１はステツプＳＰ２３に移る。ステツプＳＰ２３おいて、制御部２１はＨＴＭＬフアイルの中に通信制御情報が存在していない、すなわちクリツク操作によつて発信要求できないことを意味しており、このとき制御部２１は単にホームページを画面上に表示し、ステツプＳＰ３３に移つて処理を終了する。
【０１０５】
これに対してステツプＳＰ２２において肯定結果が得られると、これはＨＴＭＬフアイルの中に通信制御情報が存在していることを表しており、このとき制御部２１はステツプＳＰ２４に移る。ステツプＳＰ２４において、制御部２１は検出した通信制御情報に基づいて通信制御対象（インターネツト電話、インターネツトＦＡＸ、インターネツトボイスメール）及びそのアドレスをユーザ通知情報に従つた方法（赤色及び太字）でそれぞれホームページに表示してステツプＳＰ２５に移る。
【０１０６】
ステツプＳＰ２５において、制御部２１はホームページ上に赤色及び太字で表示された３種類の通信制御対象及びそのアドレスのいずれかがユーザによつてクリツクされたか否かを判定する。ここで否定結果が得られると、これはユーザによつてアドレスのいずれもクリツクされていないことを表しており、このとき制御部２１はユーザからの発信要求はなかつたものと判断してステツプＳＰ３３に移つて処理を終了する。
【０１０７】
これに対してステツプＳＰ２５において肯定結果が得られると、これはユーザによつてアドレスのいずれかがクリツクされたことを表しており、このとき制御部２１はステツプＳＰ２６に移る。
【０１０８】
ステツプＳＰ２６において、制御部２１はクリツクされたアドレスがインターネツトＦＡＸのＩＰアドレスであるか否かを判定する。ここで肯定結果が得られると、これはインターネツトＦＡＸによる通信制御が選択されたことを表しており、このとき制御部２１はステツプＳＰ２７に移る。
【０１０９】
ステツプＳＰ２７において、制御部２１はインターネツトＦＡＸのアプリケーシヨンソフトを起動し、ユーザによるＦＡＸ情報の送信文が入力されると送信処理を実行してステツプＳＰ３０に移る。
【０１１０】
ステツプＳＰ３０において、制御部２１はクリツクされたインターネツトＦＡＸのＩＰアドレスに対して発信処理を行い、相手のコンピユータ装置１４との通信リンクをインターネツトＦＡＸを通じて確立してステツプＳＰ３３に移つて処理を終了する。
【０１１１】
ところでステツプＳＰ２６において否定結果が得られると、これはインターネツトＦＡＸのＩＰアドレスが選択されたのではないことを表しており、このとき制御部２１はステツプＳＰ３１に移る。
【０１１２】
ステツプＳＰ３１において、制御部２１はインターネツトボイスメールのドメイン名が選択されたか否かを判定する。ここで肯定結果が得られると、これはユーザによつてインターネツトボイスメールによる通信制御が選択されたことを表しており、このとき制御部２１はステツプＳＰ３２に移る。
【０１１３】
ステップＳＰ３２において、制御部２１はインターネットボイスメールのアプリケーションソフトを起動し、ユーザによるボイスメールの入力がマイク２Ｍを介して行われると送信処理を実行してステップＳＰ３０に移る。ステップＳＰ３０以降、制御部２１はインターネットＦＡＸの場合と同様にインターネットボイスメールのドメイン名に従って発信処理を行い、相手のコンピユータ装置１４との通信リンクをインターネットボイスメールを通じて確立してステップＳＰ３３に移って処理を終了する。
【０１１４】
ところでステップＳＰ３１において否定結果が得られると、これはインターネットＦＡＸのＩＰアドレス及びインターネットボイスメールのドメイン名が選択されたのではなく、インターネット電話のＩＰアドレスが選択されたことを表しており、このとき制御部２１はステップＳＰ３０に移る。
【０１１５】
ステツプＳＰ２７以降、制御部２１はインターネツトＦＡＸの場合と同様にインターネツト電話のＩＰアドレスに対して発信処理を行い、相手のコンピユータ装置１４との通信リンクをインターネツト電話を通じて確立してステツプＳＰ３３に移つて処理を終了する。
【０１１６】
因みに、インターネツト電話、インターネツトＦＡＸ及びインターネツトボイスメールの場合、相手のコンピユータ装置１４との通信リンクを確立するためにユニークなアドレスを用いていることにより、国番号や市外番号といつた区別を行う必要はない。
【０１１７】
（４−３）通信制御時間及び優先順位に応じた通信制御
この場合、通信制御対象が電話機６であり、利用曜日範囲及び利用時刻範囲外のクリツク操作によつては電話発信せずに所定の注意事項を表示するようになされている。図１０に示すように、ＨＴＭＬフアイルのソース表示としてはタグの拡張部分が＜Ａ  ＨＲＥＦ＝from8:00to17:00+0900(JST)through Monday to Friday ”telephoneto:00-1234-5678”＞＜Ｂ＞Tel:00-1234-5678＜／Ｂ＞＜／Ａ＞＜ＢＲ＞となる。
【０１１８】
この場合のホームページの表示例としては、図１１に示すように、Tel:00-1234-5678のように通信機器及びその電話番号が赤色及び太字で表示されるだけであり、この表示部分がクリツクされると通常の電話発信を行うようになされている。
【０１１９】
ところがクライアントコンピュータ装置２は、制御部２１のメモリ２１Ａに予め発信制御情報として「from  to」及び「through  to」がそれぞれ登録（図３）されていることにより、ユーザによって表示部分がクリックされた時刻及び曜日が利用範囲外であった場合には電話発信を行わずに、「サービス時間外です。電話は月曜日から金曜日の８時から１７時（日本時間）でお願いします。」の注意文をウィンドウ表示するようになされている。
【０１２０】
また、通信制御時間を規定した場合に利用曜日範囲及び利用時刻範囲外における他の通信制御対象が存在する場合のＨＴＭＬフアイルのソース表示を図１２に示す。この場合クライアントコンピユータ装置２は、「others」が検出されたときに、「others」以下に記述された特定ワードに応じた通信機器例えばＦＡＸを制御できるように、ＦＡＸアプリケーシヨンソフトを起動してＦＡＸ発信を行い、優先順位に応じた通信制御を行うことも可能である。
【０１２１】
図１２に示すように、ＨＴＭＬフアイルのソース表示としてはタグの拡張部分が＜Ａ  ＨＲＥＦ＝from8:00to17:00+0900(JST)through Monday to Friday ”telephoneto:03-1234-5678”，others"faxto:03-1234-1234"＞＜Ｂ＞電話での問い合わせ（８時〜１７時）(03-1234-5678)＜／Ｂ＞＜／Ａ＞＜ＢＲ＞と、＜Ａ  ＨＲＥＦ＝"faxto:03-1234-1234"＞＜Ｂ＞時間外はＦＡＸ(03-1234-1234)＜／Ｂ＞＜／Ａ＞＜ＢＲ＞となる。
【０１２２】
このときのホームページの表示例としては、図１３に示すように電話での問い合わせ（８時〜１７時）(03-1234-5678)と時間外はＦＡＸ(03-1234-1234)となり、電話での問い合わせ（８時〜１７時）(03-1234-5678)の表示部分が利用曜日範囲及び利用時刻範囲内でクリツクされると通常の電話発信するが、この条件に該当しなかつたときに、時間外はＦＡＸ(03-1234-9012)の表示部分がクリツクされるとＦＡＸのアプリケーシヨンソフトを起動させてＦＡＸ発信処理するようになされている。
【０１２３】
このように通信制御時間を規定した通信制御を行うと共に、優先順位に応じた通信制御を行う処理手順を図１４に示すフローチヤートに従つて説明する。まずクライアントコンピユータ装置２はＲＴ３の開始ステツプから入つてステツプＳＰ４１に移る。
【０１２４】
ステツプＳＰ４１において、クライアントコンピユータ装置２の制御部２１はＩＰサーバ１１から送信されたきたＨＴＭＬフアイルを解析してステツプＳＰ４２に移る。ステツプＳＰ４２において、制御部２１は解析したＨＴＭＬフアイルの中に予めメモリ２１Ａに登録された通信制御情報が存在するか否かを検出する。
【０１２５】
ここで否定結果が得られると、これはＨＴＭＬフアイルの中に通信制御情報が存在していないことを表しており、このとき制御部２１はステツプＳＰ４３に移る。ステツプＳＰ４３おいて、制御部２１はＨＴＭＬフアイルの中に通信制御情報が存在していないため単にホームページを画面上に表示し、ステツプＳＰ５７に移つて処理を終了する。
【０１２６】
これに対してステツプＳＰ４２において肯定結果が得られると、これはＨＴＭＬフアイルの中に通信制御情報が存在していることを表しており、このとき制御部２１はステツプＳＰ４４に移る。ステツプＳＰ４４において、制御部２１は検出した通信制御情報に基づいて通信機器及びその電話番号をユーザ通知情報に従つた方法（赤色及び太字）でホームページに表示してステツプＳＰ４５に移る。
【０１２７】
ステツプＳＰ４５において、制御部２１はホームページ上に赤色及び太字で表示された通信機器及びその電話番号の表示部分がユーザによつてクリツクされたか否かを判定する。ここで否定結果が得られると、これはユーザによつて通信機器及びその電話番号の表示部分がクリツクされていないことを表しており、このとき制御部２１はユーザからの発信要求はなかつたものと判断してステツプＳＰ５７に移つて処理を終了する。
【０１２８】
これに対してステツプＳＰ４５において肯定結果が得られると、これはユーザによつて通信機器及びその電話番号の表示部分がクリツクされたことを表しており、このとき制御部２１はステツプＳＰ４６に移る。
【０１２９】
ステツプＳＰ４６において、制御部２１はクリツクされた現在の曜日及び時刻が利用曜日範囲及び利用時刻範囲内であるか否かを判定する。ここで肯定結果が得られると、これは電話発信し得る発信条件に該当することを表しており、このとき制御部２１はステツプＳＰ４７に移る。
【０１３０】
ステツプＳＰ４７において、制御部２１は電話発信する際にユーザの存在している国の国番号と通信機器の電話番号の国番号とが一致しているか否かを判定する。ここで肯定結果が得られると、これは国番号が一致していることを表しており、このとき制御部２１はステツプＳＰ４８に移つて電話発信時に国番号を削除することを認識してステツプＳＰ４９に移る。
【０１３１】
これに対してステツプＳＰ４７において否定結果が得られると、これは国番号が一致していないことを表しており、このとき制御部２１は電話発信時に国番号を最初に発信することを認識してステツプＳＰ４９に移る。
【０１３２】
ステツプＳＰ４９において、制御部２１はユーザが存在している地域と電話番号の地域が市外番号において一致しているか否かを判定する。ここで肯定結果が得られると、これは市外番号が一致していることを表しており、このとき制御部２１はステツプＳＰ５０に移つて市外番号を削除することを認識してステツプＳＰ５１に移る。
【０１３３】
これに対してステツプＳＰ４９において否定結果が得られると、これは市外番号が一致していないことを表しており、このとき制御部２１は電話発信する際に市外番号を発信することを認識してステツプＳＰ５１に移る。
【０１３４】
ステツプＳＰ５１において、制御部２１はクライアントコンピユータ装置２にオンフツク機能が有るか否かを判定する。ここで否定結果が得られると、これはクライアントコンピユータ装置２にオンフツク機能が存在しないことを表しており、このとき制御部２１はステツプＳＰ５３に移る。
【０１３５】
これに対してステツプＳＰ５１において肯定結果が得られると、これはクライアントコンピユータ装置２にオンフツク機能が存在していることを表しており、このとき制御部２１はステツプＳＰ５２に移つてオンフツク制御による電話発信準備を行つてステツプＳＰ５３に移る。
【０１３６】
ステツプＳＰ５３において、制御部２１は表示された電話番号に対する発信処理を行い、通信リンクを確立してステツプＳＰ５７に移つて処理を終了する。
【０１３７】
ところでステツプＳＰ４６において否定結果が得られると、これは利用曜日範囲及び利用時刻範囲内ではなく利用範囲外にクリツクされたことを表しており、このとき制御部２１はステツプＳＰ５４に移る。
【０１３８】
ステツプＳＰ５４において、制御部２１は電話以外の他の通信制御対象が存在するか否かを判定する。ここで否定結果が得られると、これは電話以外の他の通信制御対象が存在していないことを表しており、このとき制御部２１はステツプＳＰ５５に移つて「サービス時間外です。電話は月曜日から金曜日の８時から１７時（日本時間）でお願いします。」の注意文を表示し、ステツプＳＰ５７に移つて処理を終了する。
【０１３９】
これに対してステツプＳＰ５４において肯定結果が得られると、これは電話以外の他の通信制御対象が存在していることを表しており、このとき制御部２１は他の通信制御対象及びその回線番号を表示し、その中から所望の通信機器（ＦＡＸ、インターネツト電話、インターネツトＦＡＸ、インターネツトボイスメール、ページヤ等）がユーザによつて選択されると、当該選択された通信機器に対して発信処理を行つて通信リンクを確立し、ステツプＳＰ５７に移つて処理を終了する。
【０１４０】
（５）動作及び効果
以上の構成においてネツトワークシステム１では、ＩＰサーバ１１とクライアントコンピユータ装置２の双方において定義された通信制御情報（特定ワード、付随情報、ユーザ通知情報、発信制御情報、優先処理情報）に基づいて作成されたホームページがＩＰサーバ１１に格納されている。
【０１４１】
またクライアントコンピユータ装置２は、ユーザによつて予め通信制御情報をメモリ２１Ａに登録しておくことにより、ＩＰサーバ１１から送信されてきたＨＴＭＬフアイルを解析してその中から通信制御情報を検出することができ、かくして通信機器及びその回線番号をユーザ通知情報に従つてユーザに認識し易いように赤色及び太字でホームページに表示することができる。
【０１４２】
このホームページを閲覧しているユーザが、所望の通信機器を介してホームページの製作者に対してアクセスしようとする場合、赤色及び太字で表示された通信機器及びその回線番号の表示部分をクリツクする。これによりクライアントコンピユータ装置２は、クリツクされた通信機器の回線番号に対して発信処理し、通信リンクを確立することができる。
【０１４３】
この場合、ユーザは赤色及び太字で表示された通信機器及びその回線番号を見て、その表示部分をクリツク操作するだけで通信制御できるため、従来のように改めて回線番号をプツシユして電話を発呼したりＦＡＸ情報を送信するといつた面倒な手間を省くことができると共に、回線番号の押し間違いを起こすことなく容易かつ正確に通信リンクを確立することができる。
【０１４４】
またクライアントコンピユータ装置２は、通信機器及びその回線番号の表示部分を予めユーザによつて登録したユーザ通知情報に基づく色やフオントによつて任意に表示できるようにしたことにより、視覚上大変認識し易くなり、ユーザの視認性及び操作性を向上させることができる。
【０１４５】
さらにクライアントコンピユータ装置２は、通信機器の発信制御情報を予め登録しておくことにより、利用曜日範囲及び利用時刻範囲外のクリツク操作によつて無駄な発信処理を実行せずに済み、かくして呼び出し音に誰も応答しないといつた不愉快な思いをユーザに対して与えずに済む。このときクライアントコンピユータ装置２は、発信処理できる利用曜日範囲及び利用時刻範囲を同時に表示したり、他の通信機器による発信要求を受け付けるようにしたことにより、発信制御情報に基づいた通信制御を行うことができる。
【０１４６】
以上の構成によれば、クライアントコンピユータ装置２はＩＰサーバ１１とクライアントコンピユータ装置２の双方において定義された通信制御情報を予めメモリ２１Ａに登録し、ＩＰサーバ１１から送信されてくるＨＴＭＬフアイルを受信して解析し、当該ＨＴＭＬフアイルの中に通信制御情報を検出した場合に、通信制御情報のうちのユーザ通知情報に基づく所定の方式で通信機器及びその回線番号を表示し、当該通信機器及びその回線番号の表示部分がクリツクされた場合に選択された通信機器との通信リンクを発信制御情報に基づいて確立することにより、ホームページに表示された通信機器をユーザ自身によつて登録した通信制御情報の内容に応じて操作性良く制御することができる。
【０１４７】
（６）他の実施の形態
なお上述の実施の形態においては、テキストフアイルとしてのＨＴＭＬフアイルによつて表示されたホームページ上の通信機器の回線番号の表示部分がクリツクされたときに、通信リンクを確立するようにした場合について述べたが、本発明はこれに限らず、ユーザ通知情報として登録されているアイコン追加情報に基づいてホームページ上に表示された電話制御アイコン５１及びＦＡＸ制御アイコン５２（図１５）がクリツクされた場合に電話発信又はＦＡＸ発信するようにしても良い。
【０１４８】
この場合の専用アイコンによる通信制御処理手順としては、図１６に示すようにＲＴ４の開始ステツプから入つてステツプＳＰ６１に移る。ステツプＳＰ６１において、クライアントコンピユータ装置２の制御部２１はＩＰサーバ１１から送信されてきたＨＴＭＬフアイルを解析してステツプＳＰ６２に移る。
【０１４９】
ステツプＳＰ６２において、制御部２１は解析したＨＴＭＬフアイルの中に予めメモリ２１Ａに格納されている通信制御情報が存在するか否かを判定する。ここで否定結果が得られると、これはＨＴＭＬフアイルの中に通信制御情報が存在していないことを表しており、このとき制御部２１は通信制御情報が存在していないため単にホームページを画面上に表示し、ステツプＳＰ７１に移つて処理を終了する。
【０１５０】
これに対してステツプＳＰ６２において肯定結果が得られると、これはＨＴＭＬフアイルの中に通信制御情報が存在していることを表しており、このとき制御部２１はステツプＳＰ６４に移る。ステツプＳＰ６４において、制御部２１は検出した通信制御情報のうちのユーザ通知情報に基づいて通信制御対象を示す専用アイコンを所定の方式で表示してステツプＳＰ６５に移る。
【０１５１】
ステツプＳＰ６５において、制御部２１は専用アイコンがユーザによつてクリツクされたか否かを判定する。ここで否定結果が得られると、これは専用アイコンがユーザによつてクリツクされていないことを表しており、このとき制御部２１はユーザからのリンク要求がなかつたものと判断し、ステツプＳＰ７１に移つて処理を終了する。
【０１５２】
これに対してステツプＳＰ６５において肯定結果が得られると、これは通信制御対象を示す専用アイコンのいずれかがユーザによつてクリツクされたことを表しており、このとき制御部２１はステツプＳＰ６６に移る。ステツプＳＰ６６において、制御部２１は選択された通信制御対象に対して送信する情報の入力が必要か否かを判定する。
【０１５３】
ここで否定結果が得られると、これは送信する情報の入力が必要ない、すなわち通信制御対象として電話が選択されたことを表しており、このとき制御部２１はステツプＳＰ６８に移る。これに対してステツプＳＰ６６において肯定結果が得られると、これは送信する情報の入力が必要である、すなわちＦＡＸ、ページヤ、電子メール又はインターネツトボイスメールが選択されたことを表しており、このとき制御部２１はステツプＳＰ６７に移つて送信情報を入力し、ステツプＳＰ６８に移る。
【０１５４】
ステツプＳＰ６８以降の処理に関しては、オンフツク処理の選択及びクリツクされた通信制御対象に対する発信処理を実行して通信リンクを確立し、ステツプＳＰ７１に移つて処理を終了する。
【０１５５】
また上述の実施の形態においては、ホームページに表示された通信機器及びその回線番号の表示部分がクリツクされると、通信リンクを確立するようにした場合について述べたが、本発明はこれに限らず、例えば図１７に示すようなプルダウンメニユを開いて通信制御可能な通信制御対象を全てアイコンによつてメニユ表示し、その中から選択されたアイコンに応じた通信機器との通信リンクを確立するようにても良い。この場合、ユーザはメニユ上で全ての通信制御対象を選択することができるためホームページ上で通信機器及びその回線番号の表示部分を探す必要が無くなり操作性が向上する。
【０１５６】
さらに上述の実施の形態においては、図３のメモリ格納例に示した特定ワード、付随情報、ユーザ通知情報、発信制御情報及び優先処理情報からなる通信制御情報を予め登録しておくようにした場合について述べたが、本発明はこれに限らず、サーバとクライアントとの双方で定義された共通の通信制御情報であるならば他の種々の文字、数字等からなる通信制御情報を用いるようにしても良い。
【０１５７】
さらに上述の実施の形態においては、通信制御対象として電話機６、ＦＡＸ装置７、ページヤ８、コンピユータ装置１４等の通信機器を通信制御し得るようにした場合について述べたが、本発明はこれに限らず、クライアントコンピユータ装置２が外部機器を制御し得る機能を有していれば、携帯電話等の他の種々の通信機器を特定ワードによつて拡張して通信制御するようにしても良い。
【０１５８】
さらに上述の実施の形態においては、クライアントコンピユータ装置２と通信制御対象である通信機器との通信リンクをＩＳＤＮ回線３を用いて確立するようにした場合について述べたが、本発明はこれに限らず、無線通信等の他の通信媒体を用いて通信リンクを確立しても良い。
【０１５９】
さらに上述の実施の形態においては、ＷＷＷにおけるホームページを使つて通信機器を制御するようにした場合について述べたが、本発明はこれに限らず、クライアントとクライアント同士の間でやりとりを行う電子メールの画面上で通信機器を制御するようにしても良い。
【０１６０】
さらに上述の実施の形態においては、クライアントコンピユータ装置２に通信制御情報を登録しておくようにした場合について述べたが、本発明はこれに限らず、携帯電話機等の通信端末に通信制御情報を登録しておくようにしても良い。この場合、携帯電話機はメモリから読み出した電話番号に対する発呼処理を発信制御情報に基づいて曜日制御及び時間制御することができる。
【０１６１】
さらに上述の実施の形態においては、通信端末装置としてのクライアントコンピユータ装置２が受信手段としてのＩＳＤＮインターフエース部２６、表示手段としての制御部２１及び表示部２５、制御手段としての制御部２１、記憶手段としてのメモリ２１Ａによつて構成されている場合について述べたが、本発明はこれに限らず、他の種々の受信手段、表示手段、制御手段及び記憶手段によつて構成されるようにしても良い。
【０１６２】
【発明の効果】
上述のように本発明によれば、サーバから受信したテキストファイルの中から開始タグに含まれた通信制御情報を検出した場合、その通信制御情報を含む開始タグと対の終了タグとに挟まれた所定位置に存在する一対のタグ間に挟まれている表示用回線番号を表示し、その表示用回線番号が選択された場合でも、利用範囲に関する発信条件に該当したときに限って通信制御情報に記述された回線番号に対する発信処理を行って通信リンクを確立するようにしたことにより、利用範囲外で表示用回線番号が選択された場合には最初から発信処理を行わないために、ユーザにとって無意味な発信処理を行わせずに済み、かくしてユーザの操作性良く通信機器を制御し得る通信端末装置を実現することができる。
【０１６３】
また本発明によれば、サーバから受信したテキストファイルの中から開始タグに含まれた通信制御情報を検出した場合、その通信制御情報を含む開始タグと対の終了タグとに挟まれた所定位置に存在する一対のタグ間に挟まれている表示用回線番号を表示し、その表示用回線番号が選択された場合でも、利用範囲に関する発信条件に該当したときに限って通信制御情報に記述された回線番号に対する発信処理を行って通信リンクを確立するようにしたことにより、利用範囲外で表示用回線番号が選択された場合には最初から発信処理を行わないために、ユーザにとって無意味な発信処理を行わせずに済み、かくしてユーザの操作性良く通信機器を制御し得る通信制御方法を実現することができる。
【図面の簡単な説明】
【図１】本発明の一実施の形態によるネツトワークシステムの構成を示すブロツク図である。
【図２】クライアントコンピユータ装置の構成を示すブロツク図である。
【図３】メモリ格納例を示す略線図である。
【図４】ＨＴＭＬフアイルのソース表示を示すテキストデータである。
【図５】ホームページのブラウザ表示を示す略線図である。
【図６】電話又はＦＡＸ発信処理手順を示すフローチヤートである。
【図７】インターネツト経由の通信リンクを確立するＨＴＭＬフアイルのソース表示を示すテキストデータである。
【図８】インターネツト経由の通信リンクを確立するホームページのブラウザ表示を示す略線図である。
【図９】インターネツト経由の通信リンクを確立する処理手順を示すフローチヤートである。
【図１０】通信制御時間を規定するＨＴＭＬフアイルのソース表示を示すテキストデータである。
【図１１】通信制御時間を規定するホームページのブラウザ表示を示す略線図である。
【図１２】優先順位の設けられた通信制御を行う場合のＨＴＭＬフアイルのソース表示を示すテキストデータである。
【図１３】優先順位に応じた通信制御を行う場合のホームページのブラウザ表示を示す略線図である。
【図１４】通信制御時間及び優先順位に応じた通信制御を行う処理手順を示すフローチヤートである。
【図１５】専用アイコンによるホームページのブラウザ表示を示す略線図である。
【図１６】専用アイコンによる通信制御処理手順を示すフローチヤートである。
【図１７】プルダウンメニユによるホームページのブラウザ表示を示す略線図である。
【符号の説明】
１……ネツトワークシステム、２……クライアントコンピユータ装置、３……ＩＳＤＮ回線、４、１３……公衆回線網、５、１２……ＩＳＰサーバ、６……電話機、７……ＦＡＸ装置、８……ページヤ、１０……インターネツト、１１……ＩＰサーバ、１４……コンピユータ装置、１５……ボイスメール装置、２０……システムバス、２１……制御部、２１Ａ……メモリ、２２……データ処理部、２３……音声処理部、２６……ＩＳＤＮインターフエース部、２７……ハンドセツト部、２８……スイツチ回路。
【図１】
0004035792.tif 000002
【図２】
0004035792.tif 000003
【図３】
0004035792.tif 000004
【図４】
0004035792.tif 000005
【図５】
0004035792.tif 000006
【図６】
0004035792.tif 000007
【図７】
0004035792.tif 000008
【図８】
0004035792.tif 000009
【図９】
0004035792.tif 000010
【図１０】
0004035792.tif 000011
【図１１】
0004035792.tif 000012
【図１２】
0004035792.tif 000013
【図１３】
0004035792.tif 000014
【図１４】
0004035792.tif 000015
【図１５】
0004035792.tif 000016
【図１６】
0004035792.tif 000017
【図１７】
0004035792.tif 000018